(57)【要約】【課題】本発明は、スマートルータを用いたネットワークサービスの提供方法を提供する。【解決手段】本発明はスマートルータを用いたネットワークサービスの提供方法に関し、さらに詳しくは、事業場ごとに設置されたスマートルータの通信領域内で使用者端末の接続要求が受信されると、スマートルータが予め設定されている初期ページ情報を使用者端末へ送信することにより、現在の事業場に関する事業場専用サイトを初期接続ページとして最優先に提供することができるスマートルータを用いたネットワークサービスの提供方法に関する。【選択図】図２
2013533667.tif 000002
【特許請求の範囲】
【請求項１】
使用者端末の接続要求に対応して特定の事業場専用サイトに関する初期ページ情報を優先的に提供する初期ページ情報提供部；及び
前記使用者の端末から前記提供された初期ページ情報に対応して、前記特定の事業場専用サイトへの連結要求がある場合、前記使用者端末に前記特定の事業場専用サイトを連結するサイト連結部を含むスマートルータ。
【請求項２】
前記特定の事業場専用サイト情報を保存する保存部をさらに含むことを特徴とする請求項１に記載のスマートルータ。
【請求項３】
前記初期ページ情報又は前記事業場専用サイト情報を入出力する入出力部をさらに含むことを特徴とする請求項１又は請求項２に記載のスマートルータ。
【請求項４】
前記スマートルータは、
前記スマートルータの状態情報を制御する管理サーバとインターネットにより連結されることを特徴とする請求項１又は請求項２に記載のスマートルータ。
【請求項５】
各事業場ごとに設置されたスマートルータを通じてネットワークサービスを提供する方法において、
使用者端末の接続要求を受信するステップ１；
前記受信された接続要求に対応して特定の事業場専用サイトに関する初期ページ情報を優先的に提供するステップ２；
前記使用者端末から前記特定の事業場専用サイトへの連結要求があれば前記特定の事業場専用サイトを前記使用者端末に連結するステップ３を含むネットワークサービスの提供方法。
【請求項６】
前記ステップ３は、
前記スマートルータ自体に保存された特定の事業場専用サイトに使用者端末を連結することを特徴とする請求項５に記載のネットワークサービスの提供方法。
【請求項７】
前記使用者端末の接続要求が受信されると、
前記接続された使用者端末の認証可否を判断するステップをさらに含むことを特徴とする請求項５又は請求項６に記載のネットワークサービスの提供方法。
【請求項８】
使用者端末の接続要求に対応して特定の事業場専用サイトに関する初期ページ情報を優先的に提供し、前記使用者端末から前記提供された初期ページ情報に対応して前記特定の事業場専用サイトへの連結要求があれば前記特定の事業場専用サイトを前記使用者端末に連結する少なくとも１つ以上のスマートルータ；及び
前記少なくとも１つ以上のスマートルータの状態情報を保存し制御する管理サーバを含むネットワークサービスの提供システム。
【請求項９】
前記特定の事業場専用サイト情報は、前記スマートルータに保存されることを特徴とする請求項８に記載のサービス提供システム。
【請求項１０】
前記管理サーバは、
前記少なくとも１つ以上のスマートルータそれぞれが提供する初期ページ情報をバックアップし、前記バックアップされた初期ページ情報と前記スマートルータに保存された初期ページ情報とを比較して一致しない場合には最新の初期ページ情報で同期化することを特徴とする請求項８又は請求項９に記載のネットワークサービスの提供システム。
【請求項１１】
前記管理サーバは、
前記少なくとも１つ以上のスマートルータそれぞれが保存する特定の事業場専用サイト情報をバックアップし、前記バックアップされた特定の事業場専用サイト情報と前記スマートルータに保存された特定の事業場専用サイト情報とを比較して一致しない場合には最新の特定の事業場専用サイト情報で同期化することを特徴とする請求項８又は請求項９に記載のネットワークサービスの提供システム。
【請求項１２】
前記管理サーバの前記スマートルータの状態情報の制御は、
ファームウェアが最新であるか否かの判断、バックアップ及び同期化を選択的に実施することを特徴とする請求項８又は請求項９に記載のネットワークサービスの提供システム。
【請求項１３】
前記管理サーバは、
マルチメディアコンテンツを保存し、前記スマートルータの要求に応じて前記マルチメディアコンテンツを提供することを特徴とする請求項８乃至９のいずれか１項に記載のネットワークサービスの提供システム。
【発明の詳細な説明】
【技術分野】
【０００１】
本発明は、スマートルータを用いたネットワークサービスの提供方法に関し、さらに詳しくは、事業場ごとに設置されたスマートルータの通信領域内で使用者端末の接続要求が受信されると、スマートルータが予め設定された初期ページ情報を使用者端末へ送信して現在の事業場に関する事業場専用サイトを初期接続ページとして最優先に提供することができるスマートルータを用いたネットワークサービスの提供方法に関する。
【背景技術】
【０００２】
通常、無線通信が可能な使用者端末を用いて特定の場所でネットワークサービスを要求する場合、使用者端末に予め指定されている初期ページに関するウェブサイトが使用者端末に出力されることが一般的である。
【０００３】
したがって、使用者が位置する事業場に関係なく、常に同一のウェブサイト情報が優先的に出力される。
そのため、使用者は常に同一なウェブサイト情報に露出されることになり、各事業場が顧客のために提供するウェブサイト上のサービスを使用者がすぐに認識し、それに関するサービスを提供してもらうことは不可能であった。
【０００４】
一方、各事業場は自らの事業場に関する事業場専用サイトを特定のＩＰアドレスを用いて提供しているが、事業場を訪問する顧客達がその事業場専用サイト情報を知らないため、効果的なサービスを提供できないというのが一般的である。
【０００５】
そのため、事業場を訪問する殆どの顧客が無線インターネットが可能な移動端末を所持しているにもかかわらず、それぞれの事業場が専用サイトを通じて提供するサービスを使用者端末を通じて提供する方法が殆どないというのが実情である。
【０００６】
したがって、従来の使用者端末を通じて提供されるネットワークサービスでは、使用者としては、自分が位置する事業場がその専用サイトの上で提供しているサービスに容易に露出されることができないという問題があった。
【０００７】
また、事業場としては、使用者が意図的に事業場専用サイトに接近しない限り、その事業場専用サイトを通じて提供するサービスを使用者の端末に提供する方法がないという問題があった。
【発明の概要】
【発明が解決しようとする課題】
【０００８】
上述した問題点を解決するため、本発明の目的は、各事業場に設置され、各事業場の事業場専用サイトに関する情報を自ら保存した後、使用者が事業場に入り使用者端末を用いて無線インターネットへの接続を要求する場合、その使用者端末を通じて、自ら保存している事業場専用サイトに連結されるようにするスマートルータを提供することにある。
【課題を解決するための手段】
【０００９】
上述した目的を達成するための本発明の第１実施例によるスマートルータは、使用者端末の連結要求に対応して特定の事業場専用サイトに関する初期ページ情報を優先的に提供する初期ページ情報提供部；及び前記使用者端末から前記提供された初期ページ情報に対応して前記特定の事業場専用サイトへの連結要求がある場合にば、前記使用者端末に前記特定の事業場専用サイトを連結するサイト連結部を含む。
【００１０】
この時、前記スマートルータは、前記特定の事業場専用サイト情報を保存する保存部及び前記初期ページ情報及び前記事業場専用サイト情報を入出力する入出力部をさらに含むことができる。
【００１１】
一方、前記スマートルータは、前記スマートルータの状態情報を制御する管理サーバとインターネットにより連結されることができる。
【００１２】
上述した目的を達成するための本発明の第２実施例による各事業場に設置されたスマートルータを通じてネットワークサービスを提供する方法は、使用者端末の接続要求を受信するステップ１と、前記受信された接続要求に対応して特定の事業場専用サイトに関する初期ページ情報を優先的に提供するステップ２と、前記使用者端末から前記特定の事業場専用サイトへの連結要求がある場合には前記特定の事業場専用サイトを前記使用者端末に連結するステップ３と、を含むことができる。
【００１３】
この時、前記ステップ３は、前記スマートルータ自体に保存された特定の事業場専用サイトに使用者端末を連結することができる。
【００１４】
一方、前記使用者端末の接続要求が受信されると、前記接続された使用者端末の認証可否を判断するステップをさらに含むことができる。
【００１５】
上述した目的を達成するための本発明の第３実施例によるネットワークサービスの提供システムは、使用者端末の接続要求に対応して特定の事業場専用サイトに関する初期ページ情報を優先的に提供し、前記使用者端末から前記提供された初期ページ情報に対応して前記特定の事業場専用サイトへの連結要求がある場合には前記特定の事業場専用サイトを前記使用者端末に連結する少なくとも１つ以上のスマートルータ；及び前記少なくとも１つ以上のスマートルータの状態情報を保存し制御する管理サーバを含む。
【００１６】
この時、前記特定の事業場専用サイト情報は前記スマートルータに保存されることができる。
【００１７】
一方、前記管理サーバは、前記少なくとも１つ以上のスマートルータそれぞれが提供する初期ページ情報をバックアップし、前記バックアップされた初期ページ情報と前記スマートルータに保存された初期ページ情報とを比較して一致しない場合には最新の初期ページ情報で同期化することを特徴とすることがてきる。
【００１８】
前記管理サーバは、前記少なくとも１つ以上のスマートルータそれぞれが保存する特定の事業場専用サイト情報をバックアップし、前記バックアップされた特定の事業場専用サイト情報と前記スマートルータに保存された特定の事業場専用サイト情報とを比較して一致しない場合には最新の特定の事業場専用サイト情報で同期化することができる。
【００１９】
また、前記管理サーバの前記スマートルータの状態情報の制御は、予め決められた時点又は所定の時点にファームウェアが最新であるか否かの判断、バックアップ及び同期化を選択的に実施することができる。
【００２０】
また、前記管理サーバは、マルチメディアコンテンツを保存し、前記スマートルータの要求に応じて前記マルチメディアコンテンツを提供することができる。
【発明の効果】
【００２１】
上述した本発明によるスマートルータは、各事業場に設置され、当該事業場に入る顧客達が自分の使用者端末を通じてネットワークサービスを利用する場合、使用者端末の初期ページとして当該事業場専用サイトが優先的に出力されるようにすることにより、顧客は事業場が提供するサービスを優先的に提供してもらうことができ、事業場は殆ど全ての顧客に当該事業場専用サイト上で利用できる全てのサービスを提供することができるという効果がある。
【００２２】
また、本発明によるスマートルータを用いたネットワークサービスの提供システム及びその方法は、スマートルータ自体に事業場専用サイト情報を保存しているので、各事業場のスマートルータのインターネットの接続有無に関係なく事業場専用サイト情報を最優先に提供することができる効果がある。
【図面の簡単な説明】
【００２３】
【図１】本発明によるネットワークサービスの提供システムの概念を示す図である。
【図２】本発明によるネットワークサービスの提供システムの構成を示す図である。
【図３】本発明によるネットワークサービスの提供方法を示す図である。
【発明を実施するための形態】
【００２４】
以下、本発明の好ましい実施例を添付した図を参照して、詳細に説明する。本発明の説明にあたって、関連した公知機能又は構成に関する具体的な説明が本発明の要旨を不必要に曖昧にする恐れがあると判断される場合は、その詳細な説明を省略する。
【００２５】
図１は、本発明によるネットワークサービスの提供システムの概念を示す図である。
【００２６】
本発明において、ネットワークサービスとは、有線のケーブルを使わず、電波を用いてアクセスポイント（Ａｃｃｅｓｓ  Ｐｏｉｎｔ：ＡＰ）から各端末までネットワーク環境を構築し提供するサービスのことをいう。
【００２７】
ここで、提供されるサービスは、アクセスポイントに端末が接続されてネットワーク環境が設定されることそのものは勿論、このようなネットワーク環境を介して、使用者などが希望するネットワーク又はインターネットサービスの提供を受けることを含む。
【００２８】
一般に無線ＬＡＮサービスともいい、本発明においては、ネットワークサービスと通称する。
ネットワークサービスは、従来の通信技術のネットワーク構築の脆弱性を補完することができる特性がある。
【００２９】
例えば、有線網は通信速度の側面では優れた性能を持つが、物理的なＬＡＮケーブルリング（ＬＡＮ  Ｃａｂｌｉｎｇ）が必須なので移動性が保障されず、ブルートゥースは使用者の作業空間をめぐった数メートルの空間内では非常に有用であるが、移動性とカバレッジの側面では劣悪である。
【００３０】
一方、本発明で使用される用語である「スマートルータ」は、従来の無線ＬＡＮアクセスポイント（ＷＬＡＮ   Ａｃｃｅｓｓ  Ｐｏｉｎｔ、以下、「無線ＬＡＮ  ＡＰ」と称する）と類似であるが、本願発明において使用者端末１１０の接続、又はサービスの要求がある場合、事業場専用サイトを最優先に使用者端末１１０にブラウジングする機能を具備するか、管理サーバとの相互作用によりネットワークサービスを提供可能にすることのように、本願発明全体で開示される付加的な機能を含む無線ＬＡＮ  ＡＰと定義する。
【００３１】
また、必要な場合、事業場専用サイトに関する情報を自ら保存して、インターネットに連結されていない状態でも使用者端末を事業場専用サイトに連結させることができる機能を含む。
【００３２】
図１に示すように、本発明によるネットワークサービスの提供システムは、各事業場１５０に位置する使用者端末１１０、各事業場に設置されたスマートルータ１２０及び前記スマートルータ１２０にインターネット１３０で連結された管理サーバ１４０を含む。
【００３３】
本発明は、顧客が使用者端末１１０を携帯した状態で事業場１５０に入り、事業場に設置されたスマートルータ１２０を通じて無線通信を行おうとする場合、スマートルータ１２０は自ら保存している事業場専用サイト情報又はインターネットで連結された任意のウェブサイトの事業場専用サイト情報を使用者端末１１０の初期ページとして最優先に提供して顧客が事業場が提供しているサービスを利用できるようにする。
【００３４】
具体的に、使用者端末１１０は、無線通信を通じてインターネットに接続することができ、個人が携帯しながら応用プログラムを用いて様々なアプリケーションの具現が可能な移動端末のことを意味する。
【００３５】
例えば、ラップトップ（Ｌａｐ  Ｔｏｐ）、又はノートパソコンなどの携帯コンピュータや携帯電話（Ｍｏｂｉｌｅ  Ｐｈｏｎｅ）、携帯情報端末（Ｐｅｒｓｏｎａｌ  Ｄｉｇｉｔａｌ  Ａｓｓｉｓｔａｎｔｓ：ＰＤＡ)、ワイブロ（Ｗｉｂｒｏ）フォン及びスマートフォン（Ｓｍａｒｔ  Ｐｈｏｎｅ）などの移動通信端末が含まれ得る。
【００３６】
使用者が任意の事業場１５０に入り、使用者端末１１０を用いてスマートルータ１２０による無線通信が可能な場合、使用者端末１１０が前記スマートルータ１２０との通信を選択する場合、又は自動的に選択される場合、スマートルータ１２０に接続要求を行う。
【００３７】
スマートルータ１２０、１２１は、使用者端末１１０の接続要求がある場合、事業場専用サイトに関する初期ページ情報を優先的に提供し、連結要求がある場合、事業場専用サイトに連結する機能を行う。ここで、事業場専用サイトは、スマートルータ１２０、１２１又はインターネットの特定のウェブサイトで提供されることができることは勿論、より好ましくは、スマートルータ１２０、１２１自体に保存されることができる。
【００３８】
また、スマートルータ１２０、１２１は、インターネット１３０を通じて管理サーバ１４０に連結され、事業場専用サイトに関連したマルチメディアコンテンツを要求して提供されることができる。
【００３９】
スマートルータ１２０、１２１は、使用者端末１１０に初期ページとして事業場専用サイトを提供した後、使用者から任意のウェブサイトへの連結要求がある場合、当該ＩＰアドレスを用いて使用者端末をウェブサイトに連結する。
【００４０】
管理サーバ１４０は、スマートルータ１２０、１２１とインターネットで連結され各事業場に設置されたスマートルータを管理する役割を行う。
例えば、管理サーバ１４０は、各事業場のスマートルータ１２０、１２１の状態情報を制御し、スマートルータ１２０、１２１を通じて要求されるマルチメディアコンテンツを提供する。
【００４１】
そのために、管理サーバ１４０は、各事業場に設置されたスマートルータ１２０、１２１それぞれの初期ページ情報、それぞれのスマートルータ１２０、１２１の特定の事業場専用サイト情報、スマートルータ１２０、１２１の状態情報を保存することができる。
【００４２】
それぞれの構成に対し、図２を参照してより具体的に説明する。
図２は、本発明によるネットワークサービスの提供システムの構成を示す図である。
【００４３】
図示のように、各事業場に設置されたスマートルータ１２０は、事業場に入って来る少なくとも１つ以上の使用者端末１１０とネットワーク環境を構築できるようにする。
【００４４】
ここで、ネットワーク環境とは、事業場に位置する少なくとも１つ以上の使用者端末１１０がスマートルータ１２０に無線通信によって連結され、スマートルータ１２０が提供するサービスは勿論、スマートルータ１２０に接続されたインターネットを利用して任意のウェブサイトに連結され得る環境である。
【００４５】
各事業場に設置されたスマートルータ１２０は、事業場の無線通信１０の領域に使用者端末１１０が入り接続を要求する場合、使用者端末１１０の初期ページとして事業場専用サイトが出力されるようにする。
具体的に、スマートルータ１２０は、初期ページ情報提供部１２２、事業場専用サイト連結部１２３、及び事業場専用サイト保存部１２４を含む。
【００４６】
ただし、事業場専用サイトを自ら保存せず、インターネットを通じた任意のウェブサイトを通じで提供する場合には事業場専用サイト保存部１２４を別途に具備しなくてもよい。
【００４７】
スマートルータ１２０は、本願発明の前記構成と従来のルータが行う機能を全て含む。ただし、本発明においては、従来の既に公開されたルータに関する説明は省略する。
スマートルータ１２０において、初期ページ提供部１２２は、使用者端末１１０の接続要求に対応して特定の事業場専用サイトに関する初期ページ情報を優先的に提供する。
【００４８】
ここで、使用者端末１１０の接続要求は、使用者が事業場に入り使用者端末１１０を用いて無線通信の使用を希望する場合に行われることになる。
使用者端末１１０からの接続要求が受信されると、スマートルータ１２０は自ら保存している事業場専用サイト、又はインターネットを通じて特定のウェブサイトが提供する事業場専用サイトに関する初期ページ情報を使用者端末１１０に提供する。
【００４９】
ここで提供される初期ページ情報は、使用者端末１１０がスマートルータ１２０自体に具備された事業場専用サイトに接続するためのＵＲＬ情報又は事業場専用サイト情報を保存している特定のウェブサイトのＵＲＬ情報である。
使用者端末１１０は、スマートルータ１２０から提供される初期ページ情報を利用し、事業場専用サイトへの連結を要求する。
【００５０】
事業場専用サイト連結部１２３は、使用者端末１１０から初期ページ情報に対応して特定の事業場専用サイトへの連結要求がある場合、使用者端末１１０を事業場専用サイト保存部１２４に保存されている事業場専用サイト又は事業場専用サイト情報を保存している特定のウェブサイトに連結する。
【００５１】
すなわち、使用者端末１１０は、スマートルータ１２０が提供する無線通信を用いてネットワークサービスを利用しようとする場合、無線通信のための接続を試みる時点で接続要求を行い、転送された初期ページ情報である事業場専用サイトに最優先的に連結される。
【００５２】
したがって、使用者は、現在位置した事業場で提供するサービスを優先的に利用し様々なサービスを提供してもらうことができ、事業場専用サイトに最初に接続した後にスマートルータ１２０に連結されたインターネット１３０を通じて他の任意のウェブサイトに接続しようとする場合、希望のＩＰアドレスを用いて該当ウェブサイトに接続することができる。
スマートルータ１２０は、使用者端末１１０の初期ページとして提供しようとする事業場専用サイト情報を自ら保存することができる。この時、スマートルータ１２０は事業場専用サイト保存部１２４を自ら具備することができる。
【００５３】
事業場専用サイト保存部１２４は、各事業場で提供するサービスの内容を含む事業場専用サイト情報を保存する。
スマートルータ１２０がインターネット１３０と連結された別途のサーバを通じて事業場専用サイトに接続するのではなく、自ら事業場専用サイト情報を保存するので、インターネット１３０の接続有無に関係なく使用者端末１１０の要求がある場合にはいつでも事業場専用サイトを提供することができる。
【００５４】
ただし、スマートルータ１２０が特定のウェブサイトを通じて提供される事業場専用サイトを初期ページとして提供する場合、別途の事業場専用サイト保存部１２４を具備しなくてもよい。
また、スマートルータ１２０は、別途の入出力部（図示せず）を具備することができる。
【００５５】
入出力部は、スマートルータ１２０に必要な情報を入出力する一般的な機能は勿論、本発明において初期ページ情報と事業場専用サイト情報に関する情報を入出力することができる。
スマートルータ１２０とインターネット１３０を通じて連結された管理サーバ１４０は、各事業場に設置されたスマートルータ１２０を管理する機能及びスマートルータ１２０を通じて要求されるマルチメディアコンテンツを提供する機能を行う。
具体的に、管理サーバ１４０はインターネットを通じて連結された各事業場のスマートルータ１２０の状態情報を制御する。
【００５６】
例えば、少なくとも１つ以上のスマートルータ１２０それぞれが提供する初期ページ情報をバックアップし、バックアップされた初期ページ情報とスマートルータ１２０に保存された初期ページ情報とを比較して一致しない場合には最近アップデートされた初期ページ情報で同期化することができる。
【００５７】
また、スマートルータ１２０が事業場専用サイト保存部１２４を具備し事業場専用サイトを自ら保存している場合、管理サーバ１４０は少なくとも１つ以上のスマートルータ１２０それぞれが保存する特定の事業場専用サイト情報をバックアップし、バックアップされた特定の事業場専用サイト情報とスマートルータに保存された特定の事業場専用サイト情報とを比較して一致しない場合には最近アップデートされた特定の事業場専用サイト情報で同期化する。
スマートルータ１２０は、初期ページ情報及び事業場専用サイト情報を自ら保存することは勿論、それらの情報を変更することができる入出力部を具備している。
【００５８】
したがって、管理サーバ１４０にバックアップされた初期ページ情報及び事業場専用サイト情報と、スマートルータ１２０に保存された初期ページ情報及び事業場専用サイト情報は同一ではない可能性もある。
【００５９】
この時、管理サーバ１４０は、スマートルータ１２０がオン／オフにより連結される時点又は一定の周期又はリアルタイムで関連情報を更新することができる。
また、管理サーバ１４０は、スマートルータ１２０からマルチメディアコンテンツの提供の要求がある場合、要求した使用者端末１１０の接続情報を確認し許可された使用者に限って前記マルチメディアコンテンツを提供することができる。
【００６０】
管理サーバ１４０は、制御部１４１を通じマルチメディアコンテンツを提供したり、初期ページ情報、事業場専用サイト情報及びスマートルータ１２０の状態情報を管理するためにコンテンツ保存部１４２、初期ページ情報保存部１４３、事業場専用サイト保存部１４４、及び状態情報保存部１４５を具備することができる。
ここで、コンテンツ保存部１４２は、各事業場別に事業場専用サイトで提供するサービスを提供するために必要な様々なマルチメディアコンテンツを保存することができる。したがって、使用者が使用者端末１１０を用いて事業場専用サイトを利用しながら必要なコンテンツがあってそれを要求をする場合は、管理サーバ１４０が必要なコンテンツをスマートルータ１２０を通じて提供する。
【００６１】
初期ページ情報保存部１４３は、各事業場に設置されたスマートルータの初期ページ情報を保存する。
初期ページ情報は、各事業場のスマートルータ１２０に保存されている事業場専用サイトに対応するＵＲＬ情報を含ぶことができる。
【００６２】
事業場専用サイト保存部１４４は、各事業場の事業場専用サイト情報を保存する。
また、状態情報保存部１４５は、それぞれのスマートルータの状態情報を保存する。
したがって、管理サーバ１４０は、スマートルータ１２０とインターネットによる連結を通じて遠隔でスマートルータの状態を確認しファームウェアの最新であるか否かを判断してファームウェアのアップデートを実行したり、環境設定、再起動などの制御によってスマートルータ１２０を管理する。
【００６３】
図３は、本発明によるネットワークサービスの提供方法を示す図である。
図３に示すように、スマートルータ１２０が設置された事業場の事業場専用サイトを自ら保存した場合は、自ら保存している事業場専用サイトに接続できるように使用者端末の初期ページ情報として設定し（Ｓ３１０）、特定のウェブサイトを通じて事業場専用サイトを提供する場合は、事業場専用サイト情報を保存する特定のウェブサイトに関するＵＲＬ情報などを初期ページ情報として設定する（Ｓ３１０）。
【００６４】
この時、事業場専用サイトの設定は、スマートルータ１２０の入出力部によって直接設定されることができるのは勿論のこと、管理サーバ１４０によって設定されることも可能である。
スマートルータ１２０ごとに事業場専用サイトが設定されている場合、使用者端末１１０が事業場に入りネットワーク接続を要求すると（Ｓ３２０）、スマートルータ１２０は使用者端末に事業場専用サイトに関する初期ページ情報を優先的に提供する（Ｓ３３０）。
【００６５】
ただし、必要な場合、使用者端末の接続要求に対し、使用者認証のプロセスを行うことができる。これにより使用者認証が承認された使用者端末のみに限りネットワークサービスを提供することができる。
スマートルータ１２０と使用者端末との間にネットワークによる連結が成立すると、使用者端末はスマートルータ１２０を通じてインターネット１３０通信が可能になる。
【００６６】
スマートルータ１２０は、使用者端末から初期ページ情報に対応して特定の事業場専用サイトへの連結要求があると、初期ページ情報にあたるスマートルータ１２０内に保存された事業場専用サイトを使用者端末と連結するか、事業場専用サイト情報を保存している特定のウェブサイトに使用者端末を連結する（Ｓ３４０）。
使用者端末の接続要求に対して使用者端末に事業場専用サイト情報が提供されると、使用者端末は初期画面として事業場専用サイトを最初に出力する（Ｓ３５０）。
【００６７】
ここで、スマートルータ１２０が提供する事業場専用サイトは、スマートルータが設置された事業場の広報のためのホームページ又は商取引サイトであることができる。
また、スマートルータ１２０は、設置されている事業場の事業場専用サイトを自ら保存し、使用者端末１１０が接続される場合、インターネットの接続有無とは関係なく自ら保存している事業場専用サイトを使用者端末の初期接続ページとして提供することができる。
【００６８】
そして、使用者端末１１０は、管理サーバ１４０とインターネット１３０による連結を通じて、管理サーバ１４０から事業場専用サイトに関するマルチメディアコンテンツを受信してウェブブラウザを通じて出力することができる。
この時、管理サーバ１４０は、スマートルータ１２０を接続点として使用者端末１１０からマルチメディアコンテンツ要求信号を受信することができ、受信されたマルチメディアコンテンツ要求信号と予め保存されているサービス加入者情報（例えば、使用者ＩＤ及びパスワード）とを比較して、正当な使用者であるか否かを確認する認証プロセスを行うことができる。
【００６９】
この後、管理サーバ１４０は、認証プロセスを行った結果認証が失敗した場合にはスマートルータ１２０に認証失敗信号を送信し、認証失敗信号を受信したスマートルータ１２０は、使用者端末１１０に接続拒否信号を送信して認証失敗を通報する。
また、管理サーバ１４０は、使用者認証を行った結果認証が成功した場合にはスマートルータ１２０に認証成功信号を送信し、認証成功信号を受信したスマートルータ１２０は、使用者端末１１０に接続許容信号を送信する。
【００７０】
以後、使用者端末１１０は、管理サーバ１４０で提供されるマルチメディアコンテンツをウェブブラウザを通じて出力することができる。
この後、使用者端末１１０では、使用者によりウェブブラウザが実行されることになり、使用者の要求に応じてスマートルータ１２０に任意のウェブサイトへの接続を要求することができる（Ｓ３６０）。
使用者は、使用者端末１１０に任意のウェブサイトのＵＲＬ情報を入力する方式で、接続を要求することができる。
【００７１】
スマートルータ１２０は、使用者端末１１０から任意のウェブサイトのＵＲＬ情報とともに任意のウェブサイトへの接続を要求する信号を受信すると、設定されている事業場専用サイトのＵＲＬ情報を受信された任意のウェブサイトのＵＲＬ情報に変更してインターネット１３０を通じて連結し、使用者端末１１０の任意のウェブサイトへの接続を許可することができる（Ｓ３７０）。
【００７２】
以上で説明した本発明は、本発明の属する技術分野で通常の知識を持つ者により本発明の技術思想から逸脱しない範囲内で種々の置換、変形、及び変更が可能であるので、前述した実施例及び添付された図面により限定されるものではない。
【図１】
2013533667.tif 000003
【図２】
2013533667.tif 000004
【図３】
2013533667.tif 000005
【国際調査報告】
2013533667.tif 000006
2013533667.tif 000007
2013533667.tif 000008
2013533667.tif 000009